(57)【要約】【課題】  利用者側および参照を希望するホームページ側に特殊なソフトウェアを必要とせず、ホームページのアクセスビリティを向上することができるホームページ変換システム、管理装置、ホームページ変換方法およびプログラムを提供する。【解決手段】  利用者端末１０は、Ｗｅｂサーバ２０が提供するホームページのうち閲覧を希望するものを特定するための情報を入力し、変換サーバ３０は、Ｗｅｂサーバ２０に指定されたホームページにおいて提供されているコンテンツを要求し、そのコンテンツの加工・変更を行ない、加工されたコンテンツを利用者端末１０に送信し、利用者端末１０はそのコンテンツを表示する。【選択図】  図１
2006227991.tif 000002
【特許請求の範囲】
【請求項１】
ネットワークを介して接続されている利用者端末と、Ｗｅｂサーバと、変換サーバと、を含むホームページ変換システムであって、
前記利用者端末は、前記Ｗｅｂサーバが提供するホームページのうち閲覧を希望するものを特定するための情報を入力する情報入力手段と、
加工後のコンテンツの見栄えが良いか否かの情報を生成する生成手段と、を備え、
前記変換サーバは、前記Ｗｅｂサーバに指定されたホームページにおいて提供されているコンテンツを要求するコンテンツ要求手段と、
コンテンツの加工・変更を行なうコンテンツ加工手段と、を備え、
前記コンテンツ加工手段によって加工されたコンテンツを前記利用者端末に送信し、前記利用者端末はそのコンテンツを表示することを特徴とするホームページ変換システム。
【請求項２】
前記コンテンツ加工手段は、所定のデータベースに格納されている変換ポリシーを参照してコンテンツの加工・変更を行なうことを特徴とする請求項１記載のホームページ変換システム。
【請求項３】
前記コンテンツ加工手段は、前記変換ポリシーのうち前記利用者端末から指定された変換ポリシーを参照してコンテンツの加工・変更を行なうことを特徴とする請求項１または２記載のホームページ変換システム。
【請求項４】
前記変換サーバは、課金処理を行なう課金手段をさらに備えることを特徴とする請求項１から３のいずれか１項に記載のホームページ変換システム。
【請求項５】
Ｗｅｂサーバに対して指定されたホームページにおいて提供されているコンテンツを要求するコンテンツ要求手段と、
コンテンツの加工・変更を行なうコンテンツ加工手段と、を備え、
前記コンテンツ加工手段によって加工されたコンテンツを利用者端末に送信し、前記利用者端末にそのコンテンツを表示させることを特徴とする変換装置。
【請求項６】
前記コンテンツ加工手段は、所定のデータベースに格納されている変換ポリシーを参照してコンテンツの加工・変更を行なうことを特徴とする請求項５記載の変換装置。
【請求項７】
前記コンテンツ加工手段は、前記変換ポリシーのうち前記利用者端末から指定された変換ポリシーを参照してコンテンツの加工・変更を行なうことを特徴とする請求項５または６記載の変換装置。
【請求項８】
課金処理を行なう課金手段をさらに備えることを特徴とする請求項５から７のいずれか１項に記載の変換装置。
【請求項９】
ネットワークを介して接続されている利用者端末と、Ｗｅｂサーバと、変換サーバと、を利用したホームページ変換方法であって、
前記利用者端末が、情報入力手段によって前記Ｗｅｂサーバが提供するホームページのうち閲覧を希望するものを特定するための情報を入力するステップを有し、
前記変換サーバが、コンテンツ要求手段によって前記Ｗｅｂサーバに指定されたホームページにおいて提供されているコンテンツを要求するステップと、
コンテンツ加工手段によってコンテンツの加工・変更を行なうステップと、
前記コンテンツ加工手段によって加工されたコンテンツを前記利用者端末に送信するステップと、を有し、
前記利用者端末が、そのコンテンツを表示するステップと、
生成手段によって加工後のコンテンツの見栄えが良いか否かの情報を生成するステップをさらに有することを特徴とするホームページ変換方法。
【請求項１０】
前記コンテンツ加工手段は、所定のデータベースに格納されている変換ポリシーを参照してコンテンツの加工・変更を行なうことを特徴とする請求項９記載のホームページ変換方法。
【請求項１１】
前記コンテンツ加工手段は、前記変換ポリシーのうち前記利用者端末から指定された変換ポリシーを参照してコンテンツの加工・変更を行なうことを特徴とする請求項９または１０記載のホームページ変換方法。
【請求項１２】
前記変換サーバが、課金手段によって課金処理を行なうステップをさらに有することを特徴とする請求項９から１１のいずれか１項に記載のホームページ変換方法。
【請求項１３】
利用者端末に、情報入力手段によってＷｅｂサーバが提供するホームページのうち閲覧を希望するものを特定するための情報を入力するステップを実行させ、
変換サーバに、コンテンツ要求手段によって前記Ｗｅｂサーバに指定されたホームページにおいて提供されているコンテンツを要求するステップと、
コンテンツ加工手段によってコンテンツの加工・変更を行なうステップと、
前記コンテンツ加工手段によって加工されたコンテンツを前記利用者端末に送信するステップと、を実行させ、
前記利用者端末に、そのコンテンツを表示するステップと、
生成手段によって加工後のコンテンツの見栄えが良いか否かの情報を生成するステップをさらに実行させることを特徴とするプログラム。
【請求項１４】
前記コンテンツ加工手段は、所定のデータベースに格納されている変換ポリシーを参照してコンテンツの加工・変更を実行させることを特徴とする請求項１３記載のプログラム。
【請求項１５】
前記コンテンツ加工手段は、前記変換ポリシーのうち前記利用者端末から指定された変換ポリシーを参照してコンテンツの加工・変更を実行させることを特徴とする請求項１３または１４記載のプログラム。
【請求項１６】
前記変換サーバに、課金手段によって課金処理を行なうステップをさらに実行させることを特徴とする請求項１３から１５のいずれか１項に記載のプログラム。
【発明の詳細な説明】
【技術分野】
【０００１】
本発明は、インターネット上のホームページ（Ｗｅｂページ）を閲覧するにあたり、弱視者や高齢者向けに表示画面を自動的に見やすく変換するホームページ変換システム、管理装置、ホームページ変換方法およびプログラムに関する。
【背景技術】
【０００２】
近年、ホームページのアクセシビリティの規格化や弱視向けのデザインガイドなどが検討／提供されはじめている。
【０００３】
しかし、一般のホームページ作成者にアクセシビリティの意識は低く、むしろデザイン的な見栄えを重視したホームページが存在する。
【０００４】
一例として、背景色と文字の色が似ていたりコントラストの低いもの、小さな文字で書かれているもの等がある。
【０００５】
弱視者や高齢者にとっては、見栄えよりも情報保障が重要であり、読みやすく見やすいホームページが求められている。
【０００６】
こうした要求に対し、Ｗｅｂブラウザ側でフォントサイズを変更するカスタマイズ機能や、Ｗｅｂサーバ側で見栄えを変更するソフト製品等が既に販売されている。
【０００７】
ここで、ユーザ端末がインターネットを介してウエッブサーバによるホームページを閲覧しているときに、高齢者用のボタンが操作されたときには、標準画像情報が特殊画像情報に変換され、特殊画像情報にしたがったホームページによる画像が表示され、この画像は文字や絵が強調して表示されるとともに拡大して表示され、マウスカーソルがリンク部分に重なるとマウスが振動するとともに音が発生し、この状態でクリックすると、リンク先のホームページに関する画像が強調して表示されるとともに拡大されて表示されることによって、利用者の身体的状況に合わせて画像情報を変換して出力する技術が提案されている（例えば、特許文献１参照）。
【特許文献１】特開２００２−２５２８４６号公報
【発明の開示】
【発明が解決しようとする課題】
【０００８】
しかしながら、上述した従来例においては次のような問題点があった。
【０００９】
ブラウザのフォントサイズ変更機能では変更が不可能なＨＴＭＬ文が存在することや、高齢者にとってはブラウザのカスタマイズ機能を使うこと自体が困難な場合があるという問題点があった。
【００１０】
また、すべてのＷｅｂサーバがアクセシビリティ変更機能を実装することは困難であり、任意のホームページに対しアクセシビリティを向上することを可能とする変換サービスが必要であった。
【００１１】
そこで、本発明は、利用者側および参照を希望するホームページ側に特殊なソフトウェアを必要とせず、ホームページのアクセスビリティを向上することができるホームページ変換システム、管理装置、ホームページ変換方法およびプログラムを提供することを目的とする。
【課題を解決するための手段】
【００１２】
請求項１記載の発明は、ネットワークを介して接続されている利用者端末と、Ｗｅｂサーバと、変換サーバを含むホームページ変換システムであって、利用者端末は、Ｗｅｂサーバが提供するホームページのうち閲覧を希望するものを特定するための情報を入力する情報入力手段と、加工後のコンテンツの見栄えが良いか否かの情報を生成する生成手段とを備え、変換サーバは、Ｗｅｂサーバに指定されたホームページにおいて提供されているコンテンツを要求するコンテンツ要求手段と、コンテンツの加工・変更を行なうコンテンツ加工手段とを備え、コンテンツ加工手段によって加工されたコンテンツを利用者端末に送信し、利用者端末はそのコンテンツを表示することを特徴とするホームページ変換システムである。
【００１３】
請求項２記載の発明は、請求項１記載のホームページ変換システムにおいて、コンテンツ加工手段は、所定のデータベースに格納されている変換ポリシーを参照してコンテンツの加工・変更を行なうことを特徴とする。
【００１４】
請求項３記載の発明は、請求項１または２記載のホームページ変換システムにおいて、コンテンツ加工手段は、変換ポリシーのうち利用者端末から指定された変換ポリシーを参照してコンテンツの加工・変更を行なうことを特徴とする。
【００１５】
請求項４記載の発明は、請求項１から３のいずれか１項に記載のホームページ変換システムにおいて、変換サーバは、課金処理を行なう課金手段をさらに備えることを特徴とする。
【００１６】
請求項５記載の発明は、Ｗｅｂサーバに対して指定されたホームページにおいて提供されているコンテンツを要求するコンテンツ要求手段と、コンテンツの加工・変更を行なうコンテンツ加工手段とを備え、コンテンツ加工手段によって加工されたコンテンツを利用者端末に送信し、利用者端末にそのコンテンツを表示させることを特徴とする変換装置である。
【００１７】
請求項６記載の発明は、請求項５記載の変換装置において、コンテンツ加工手段は、所定のデータベースに格納されている変換ポリシーを参照してコンテンツの加工・変更を行なうことを特徴とする。
【００１８】
請求項７記載の発明は、請求項５または６記載の変換装置において、コンテンツ加工手段は、変換ポリシーのうち利用者端末から指定された変換ポリシーを参照してコンテンツの加工・変更を行なうことを特徴とする。
【００１９】
請求項８記載の発明は、請求項５から７のいずれか１項に記載の変換装置において、課金処理を行なう課金手段をさらに備えることを特徴とする。
【００２０】
請求項９記載の発明は、ネットワークを介して接続されている利用者端末と、Ｗｅｂサーバと、変換サーバを利用したホームページ変換方法であって、利用者端末が、情報入力手段によってＷｅｂサーバが提供するホームページのうち閲覧を希望するものを特定するための情報を入力するステップを有し、変換サーバが、コンテンツ要求手段によってＷｅｂサーバに指定されたホームページにおいて提供されているコンテンツを要求するステップと、コンテンツ加工手段によってコンテンツの加工・変更を行なうステップと、コンテンツ加工手段によって加工されたコンテンツを利用者端末に送信するステップと、を有し、利用者端末が、そのコンテンツを表示するステップと、生成手段によって加工後のコンテンツの見栄えが良いか否かの情報を生成するステップをさらに有することを特徴とするホームページ変換方法である。
【００２１】
請求項１０記載の発明は、請求項９記載のホームページ変換方法において、コンテンツ加工手段は、所定のデータベースに格納されている変換ポリシーを参照してコンテンツの加工・変更を行なうことを特徴とする。
【００２２】
請求項１１記載の発明は、請求項９または１０記載のホームページ変換方法において、コンテンツ加工手段は、変換ポリシーのうち利用者端末から指定された変換ポリシーを参照してコンテンツの加工・変更を行なうことを特徴とする。
【００２３】
請求項１２記載の発明は、請求項９から１１のいずれか１項に記載のホームページ変換方法において、変換サーバが、課金手段によって課金処理を行なうステップをさらに有することを特徴とする。
【００２４】
請求項１３記載の発明は、利用者端末に、情報入力手段によってＷｅｂサーバが提供するホームページのうち閲覧を希望するものを特定するための情報を入力するステップを実行させ、変換サーバに、コンテンツ要求手段によってＷｅｂサーバに指定されたホームページにおいて提供されているコンテンツを要求するステップと、コンテンツ加工手段によってコンテンツの加工・変更を行なうステップと、コンテンツ加工手段によって加工されたコンテンツを利用者端末に送信するステップとを実行させ、利用者端末に、そのコンテンツを表示するステップと、生成手段によって加工後のコンテンツの見栄えが良いか否かの情報を生成するステップをさらに実行させることを特徴とするプログラムである。
【００２５】
請求項１４記載の発明は、請求項１３記載のプログラムにおいて、コンテンツ加工手段は、所定のデータベースに格納されている変換ポリシーを参照してコンテンツの加工・変更を実行させることを特徴とする。
【００２６】
請求項１５記載の発明は、請求項１３または１４記載のプログラムにおいて、コンテンツ加工手段は、変換ポリシーのうち利用者端末から指定された変換ポリシーを参照してコンテンツの加工・変更を実行させることを特徴とする。
【００２７】
請求項１６記載の発明は、請求項１３から１５のいずれか１項に記載のプログラムにおいて、変換サーバに、課金手段によって課金処理を行なうステップをさらに実行させることを特徴とする。
【発明の効果】
【００２８】
本発明のホームページ変換システム、管理装置、ホームページ変換方法およびプログラムによれば、利用者側および参照を希望するホームページ側に特殊なソフトウェアを必要とせず、ホームページのアクセスビリティを向上することができる。
【発明を実施するための最良の形態】
【００２９】
次に、本発明の一実施の形態について図を参照して詳細に説明する。
【００３０】
図１を参照すると、本実施の形態におけるホームページ変換システムは、利用者端末１０と、Ｗｅｂサーバ２０と、変換サーバ３０から構成されている。これらの利用者端末１０、Ｗｅｂサーバ２０および変換サーバ３０は、プログラム制御により動作し、ネットワ−ク１００を介して相互に接続されている。ネットワーク１００は、任意のネットワークであってよく、例えば、光ファイバ、インターネット、公衆回線、ＬＡＮ（Local Area Network）、ＡＤＳＬ（Asymmetric Digital Subscriber Line）等であってもよい。なお、通信方法は、有線であっても、無線であってもよい。
【００３１】
利用者端末１０は、ユーザが利用する情報処理装置であり、例えば、パーソナルコンピュータ、携帯電話機等である。利用者端末１０は、パソコンやＰＤＡ等のインターネット通信機能とＮｅｔｓｃａｐｅ等の汎用的なＷｅｂブラウザを持ち、インターネット上のホームページを閲覧可能な情報端末である。
【００３２】
Ｗｅｂサーバ２０は、利用者が参照を希望するＷｅｂサーバであり、例えば、ワークステーション・サーバ等の情報処理装置である。任意のＷｅｂサーバであってよい。
【００３３】
変換サーバ３０は、例えば、ワークステーション・サーバ等の情報処理装置である。変換サーバ３０は、インターネットに接続され、利用者端末１０からのサービス要求を受け付ける初期画面等を提供するＨＴＴＰサーバ機能と、インターネット上の任意のホームページにアクセスしＨＴＭＬ文等を取り込み加工するアプリケーションサーバ機能と、課金用にユーザ認証やアクセスログを収集する機能を有している。
【００３４】
図２を参照すると、変換サーバ３０は、認証部３１、コンテンツ要求部３２、コンテンツ加工部３３、課金部３４および変換ポリシー３５を備えている。
【００３５】
ここで、認証部３１は、ユーザ認証を行なう機能を有しており、コンテンツ要求部３２は、Ｗｅｂサーバ２０に指定されたＵＲＬにおいて提供されているコンテンツを要求する機能を有しており、コンテンツ加工部３３は、コンテンツの加工・変更を行なう機能を有しており、課金部３４は、課金処理を行なう機能を有しており、そして、変換ポリシー３５は、加工態様のポリシーであり、所定のデータベースの所定のテーブル等に格納されているものである。
【００３６】
次に、図３を参照して、本実施の形態における、インターネット上のホームページを閲覧するにあたり、弱視者や高齢者向けに表示画面を自動的に見やすく変換する処理のフローを詳細に説明する。
【００３７】
まず、利用者端末１０は、Ｗｅｂブラウザからネットワーク１００を経由して変換サーバ３０にアクセスする（Ｓ３０１）。
【００３８】
変換サーバ３０の認証部３１は、初期画面にてユーザ認証を行ない、利用者端末１０が利用権限のあるユーザであることを確認する（Ｓ３０２）。ユーザ認証は、所定のユーザコードやパスワードを入力することによって行なわれてもよい。
【００３９】
ユーザ認証が適正になされて正規のユーザであることが認められた後、利用者端末１０は、閲覧を希望するホームページのＵＲＬアドレスの入力を受け付け、ネットワーク１００を経由して変換サーバ３０にアクセスする（Ｓ３０３）。
【００４０】
次に、変換サーバ３０のコンテンツ要求部３２は、入力されたＵＲＬのホームページを提供するＷｅｂサーバ２０にコンテンツの要求を発行する（Ｓ３０４）。
【００４１】
すると、変換サーバ３０からコンテンツの要求を受け付けたＷｅｂサーバ２０は、対象ホームページが提供するＨＴＭＬ文や画像イメージのデータを変換サーバ３０に送信する（Ｓ３０５）。
【００４２】
変換サーバ３０は、Ｗｅｂサーバ２０から受け取ったＨＴＭＬ文や画像イメージのデータをキャッシュ領域に取り込む。
【００４３】
そして、変換サーバ３０のコンテンツ加工部３３は、取り込んだＨＴＭＬ文のうち、弱視者向けに加工が必要な部分を自動修正する（Ｓ３０６）。加工は、加工態様のポリシーであり、所定のデータベースの所定のテーブル等に格納されている変換ポリシー３５を参照して行なわれる。
【００４４】
加工する例としては、背景色の変更やフォントサイズの変更、文字の色などである。また、画像データに関しては、コントラストを変更したり色調を変更する。さらに、音声や動画に関しても再生速度を遅くする等の変更を加える。
【００４５】
変換サーバ３０は、変更されたＨＴＭＬ文や画像データを利用者端末１０のＷｅｂブラウザに送信する（Ｓ３０７）。
【００４６】
利用者端末１０は、変換サーバ３０から変更されたＨＴＭＬ文や画像データを受信し、閲覧を希望したホームページを加工された状態でＷｅｂブラウザ上で参照する（Ｓ３０８）。
【００４７】
利用者端末１０は、変更されたＨＴＭＬ文や画像データが見栄えが良いか否かを判断する（Ｓ３０９）。
【００４８】
ステップＳ３０９で見栄えが良い場合（Ｓ３０９／Ｙｅｓ）、そのまま処理を終了する。
【００４９】
一方、ステップＳ３０９で、表示画面が見づらい等の見栄えが良くない場合（Ｓ３０９／Ｎｏ）、他の変換ポリシーを選択する（Ｓ３１０）。変換ポリシーの例としては、「背景色のみ変更」や「画像を白黒表示」などがある。
【００５０】
ステップＳ３１０で他の変換ポリシーを選択した後は、上記のステップＳ３０６に戻る。
【００５１】
なお、変換サーバ３０の課金部３４は、利用者端末１０の本システムの利用度に応じて、課金処理を行なってもよい。課金の算定は、時間やコンテンツ量などに基づき行なわれてもよい。また、支払い方法は、クレジットカード決済や、オンラインによる電子マネーでなされてもよい。
【００５２】
上記のように、本実施の形態によれば、利用者側および参照を希望するホームページ側に特殊なソフトウェアを必要とせず、ホームページのアクセスビリティを向上できる。
【００５３】
したがって、利用者は特定の端末に限定されることなく、インターネットカフェからの利用や、簡易ブラウザしか持たないＰＤＡ等からでも利用できる。
【００５４】
ホームページ運営者側も、個々にアクセスビリティを意識したページに修正したり、専用ページを用意する必要が無くなるため、双方にメリットが生まれる。
【００５５】
さらに、ホームページに添付されている画像や動画に関し、従来は利用者側がダウンロード後に画像処理をかけるような作業を行なっているケースもあったが、自動的に見やすいように画像を加工するため、利用者側に高度な画像処理技術が不要になる。
【００５６】
また、表示ポリシーを多種用意することで、弱視者や高齢者だけでなく誰もが個人の好みのスタイルで任意のホームページを参照することが可能となる。
【００５７】
なお、上述する各実施の形態は、本発明の好適な実施の形態であり、本発明の要旨を逸脱しない範囲内において種々変更実施が可能である。例えば、上記の実施の形態における利用者端末１０、Ｗｅｂサーバ２０および変換サーバ３０の機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【００５８】
上述する各実施の形態は、利用者端末１０、Ｗｅｂサーバ２０および変換サーバ３０が別個に接続されているシステム構成について説明したが、各機能が１つのコンピュータシステムとして実現されている構成や機能毎に複数のサーバ装置等が追加された構成にも適用可能であることはもちろんである。
【図面の簡単な説明】
【００５９】
【図１】本発明の実施形態におけるホームページ変換システムの概略構成図である。
【図２】本発明の実施形態における変換サーバの機能ブロック図である。
【図３】本発明の実施形態における変換処理動作を示すフローチャートである。
【符号の説明】
【００６０】
１０    利用者端末
２０    Ｗｅｂサーバ
３０    変換サーバ
１００    ネットワーク
【図１】
2006227991.tif 000003
【図２】
2006227991.tif 000004
【図３】
2006227991.tif 000005